(57)【要約】【課題】電話装置の消費電力を抑制する。【解決手段】電話装置（１）は、電話機本体（１０）と送受話器（２０）とを備える。当該電話装置は、電話機本体又は送受話器に対する発呼操作又はダイヤル情報送出操作を検出する検出手段（１３、２５）と、該検出手段により、電話機本体に対する発呼操作又はダイヤル情報送出操作が検出されたことを条件に、送受話器の機能の少なくとも一部が停止又は低下するように、送受話器を制御する第１制御手段（１３）と、検出手段により、送受話器に対する発呼操作又はダイヤル情報送出操作が検出されたことを条件に、電話機本体の機能の少なくとも一部が停止又は低下するように、電話機本体を制御する第２制御手段（２５）と、を備える。【選択図】図３
2015139123.tif 000002
【特許請求の範囲】
【請求項１】
電話機本体と送受話器とを備える電話装置であって、
前記電話機本体又は前記送受話器に対する発呼操作又はダイヤル情報送出操作を検出する検出手段と、
前記検出手段により、前記電話機本体に対する発呼操作又はダイヤル情報送出操作が検出されたことを条件に、前記送受話器の機能の少なくとも一部が停止又は低下するように、前記送受話器を制御する第１制御手段と、
前記検出手段により、前記送受話器に対する発呼操作又はダイヤル情報送出操作が検出されたことを条件に、前記電話機本体の機能の少なくとも一部が停止又は低下するように、前記電話機本体を制御する第２制御手段と、
を備えることを特徴とする電話装置。
【請求項２】
前記電話機本体は本体表示部を有し、
前記送受話器は送受話器表示部を有し、
前記第１制御手段は、前記検出手段により、前記電話機本体に対する発呼操作又はダイヤル情報送出操作が検出されたことを条件に、少なくとも前記送受話器表示部の機能が停止又は低下するように前記送受話器を制御し、
前記第２制御手段は、前記検出手段により、前記送受話器に対する発呼操作又はダイヤル情報送出操作が検出されたことを条件に、少なくとも前記本体表示部の機能が停止又は低下するように前記電話機本体を制御する
ことを特徴とする請求項１に記載の電話装置。
【請求項３】
前記第１制御手段は、更に、前記検出手段により、前記電話機本体に対する発呼操作又はダイヤル情報送出操作が検出されたことを条件に、前記本体表示部を点灯する又は前記本体表示部の輝度を高めるように前記電話機本体を制御し、
前記第２制御手段は、更に、前記検出手段により、前記送受話器に対する発呼操作又はダイヤル情報送出操作が検出されたことを条件に、前記送受話器表示部を点灯する又は前記送受話器表示部の輝度を高めるように前記送受話器を制御する
ことを特徴とする請求項２に記載の電話装置。
【請求項４】
電話機本体と送受話器とを備える電話装置の制御方法であって、
前記電話機本体又は前記送受話器に対する発呼操作又はダイヤル情報送出操作を検出する検出工程と、
前記検出工程において、前記電話機本体に対する発呼操作又はダイヤル情報送出操作が検出されたことを条件に、前記送受話器の機能の少なくとも一部が停止又は低下するように、前記送受話器を制御する第１制御工程と、
前記検出工程において、前記送受話器に対する発呼操作又はダイヤル情報送出操作が検出されたことを条件に、前記電話機本体の機能の少なくとも一部が停止又は低下するように、前記電話機本体を制御する第２制御工程と、
を備えることを特徴とする制御方法。
【請求項５】
電話機本体と送受話器とを備える電話装置の前記電話機本体に搭載されたコンピュータを、
前記電話機本体又は前記送受話器に対する発呼操作又はダイヤル情報送出操作を検出する検出手段と、
前記検出手段により、前記電話機本体に対する発呼操作又はダイヤル情報送出操作が検出されたことを条件に、前記送受話器の機能の少なくとも一部が停止又は低下するように、前記送受話器を制御する制御手段と、
として機能させることを特徴とするコンピュータプログラム。
【請求項６】
請求項５に記載のコンピュータプログラムが記録されていることを特徴とする記録媒体。
【請求項７】
電話機本体と送受話器とを備える電話装置の前記送受話器に搭載されたコンピュータを、
前記電話機本体又は前記送受話器に対する発呼操作又はダイヤル情報送出操作を検出する検出手段と、
前記検出手段により、前記送受話器に対する発呼操作又はダイヤル情報送出操作が検出されたことを条件に、前記電話機本体の機能の少なくとも一部が停止又は低下するように、前記電話機本体を制御する制御手段と、
として機能させることを特徴とするコンピュータプログラム。
【請求項８】
請求項７に記載のコンピュータプログラムが記録されていることを特徴とする記録媒体。
【発明の詳細な説明】
【技術分野】
【０００１】
本発明は、例えば親機及び子機各々にディスプレイが設けられたコードレス電話装置、該コードレス電話装置の制御方法、コンピュータプログラム、及び該コンピュータプログラムが記録された記録媒体の技術分野に関する。
【背景技術】
【０００２】
この種の装置として、例えば送受話器の所定部位に設けられた表示部が視認不可能な姿勢状態であることを検出して、該表示部への各種情報の表示を禁止する装置が提案されている（特許文献１参照）。尚、バックライト用ＬＥＤの制御方法として、携帯端末の操作キーが操作された際に、光センサーにより検出された周囲の明るさに応じて、バックライト用ＬＥＤを制御する方法が提案されている（特許文献２参照）。
【先行技術文献】
【特許文献】
【０００３】
【特許文献１】特開平１１−２２５１９１号公報
【特許文献２】特開２００２−１６４９７２号公報
【発明の概要】
【発明が解決しようとする課題】
【０００４】
しかしながら、上述の背景技術には、電話装置の消費電力を更に抑制する余地があるという技術的問題点がある。
【０００５】
本発明は、例えば上記問題点に鑑みてなされたものであり、電話装置の低電力化を実現可能な電話装置、制御方法、コンピュータプログラム及び記録媒体を提供することを課題とする。
【課題を解決するための手段】
【０００６】
本発明の電話装置は、上記課題を解決するために、電話機本体と送受話器とを備える電話装置であって、前記電話機本体又は前記送受話器に対する発呼操作又はダイヤル情報送出操作を検出する検出手段と、前記検出手段により、前記電話機本体に対する発呼操作又はダイヤル情報送出操作が検出されたことを条件に、前記送受話器の機能の少なくとも一部が停止又は低下するように、前記送受話器を制御する第１制御手段と、前記検出手段により、前記送受話器に対する発呼操作又はダイヤル情報送出操作が検出されたことを条件に、前記電話機本体の機能の少なくとも一部が停止又は低下するように、前記電話機本体を制御する第２制御手段と、を備える。
【０００７】
本発明の制御方法は、上記課題を解決するために、電話機本体と送受話器とを備える電話装置の制御方法であって、前記電話機本体又は前記送受話器に対する発呼操作又はダイヤル情報送出操作を検出する検出工程と、前記検出工程において、前記電話機本体に対する発呼操作又はダイヤル情報送出操作が検出されたことを条件に、前記送受話器の機能の少なくとも一部が停止又は低下するように、前記送受話器を制御する第１制御工程と、前記検出工程において、前記送受話器に対する発呼操作又はダイヤル情報送出操作が検出されたことを条件に、前記電話機本体の機能の少なくとも一部が停止又は低下するように、前記電話機本体を制御する第２制御工程と、を備える。
【０００８】
本発明の第１のコンピュータプログラムは、上記課題を解決するために、電話機本体と送受話器とを備える電話装置の前記電話機本体に搭載されたコンピュータを、前記電話機本体又は前記送受話器に対する発呼操作又はダイヤル情報送出操作を検出する検出手段と、前記検出手段により、前記電話機本体に対する発呼操作又はダイヤル情報送出操作が検出されたことを条件に、前記送受話器の機能の少なくとも一部が停止又は低下するように、前記送受話器を制御する制御手段と、として機能させる。
【０００９】
本発明の第１の記録媒体は、上記課題を解決するために、本発明の第１のコンピュータプログラムが記録されている。
【００１０】
本発明の第２のコンピュータプログラムは、上記課題を解決するために、電話機本体と送受話器とを備える電話装置の前記送受話器に搭載されたコンピュータを、前記電話機本体又は前記送受話器に対する発呼操作又はダイヤル情報送出操作を検出する検出手段と、前記検出手段により、前記送受話器に対する発呼操作又はダイヤル情報送出操作が検出されたことを条件に、前記電話機本体の機能の少なくとも一部が停止又は低下するように、前記電話機本体を制御する制御手段と、として機能させる。
【００１１】
本発明の第２の記録媒体は、上記課題を解決するために、本発明の第２のコンピュータプログラムが記録されている。
【００１２】
本発明の作用及び他の利得は次に説明する実施するための形態から明らかにされる。
【図面の簡単な説明】
【００１３】
【図１】実施例に係る電話装置を示す概略図である。
【図２】実施例に係る電話装置の構成を示すブロック図である。
【図３】実施例に係る動作シーケンスの一例を示すフローチャートである。
【図４】実施例に係る動作シーケンスの他の一例を示すフローチャートである。
【図５】実施例に係る動作シーケンスの他の一例を示すフローチャートである。
【図６】実施例に係る動作シーケンスの他の一例を示すフローチャートである。
【発明を実施するための形態】
【００１４】
本発明の電話装置、制御方法、コンピュータプログラム及び記録媒体各々に係る実施形態について説明する。
【００１５】
（電話装置）
実施形態に係る電話装置は、電話機本体（即ち親機）と送受話器（即ち子機）とを備える電話装置である。
【００１６】
例えばメモリ、プロセッサ等を備えてなる検出手段は、電話機本体又は送受話器に対する発呼操作又はダイヤル情報送出操作を検出する。ここで、「ダイヤル情報送出操作」とは、通話状態となった後に、音声回線により数字入力又は記号入力を行うために数字ボタン又は記号ボタンを操作することを意味する。
【００１７】
例えばメモリ、プロセッサ等を備えてなる第１制御手段は、検出手段により、電話機本体に対する発呼操作又はダイヤル情報送出操作が検出されたことを条件に、送受話器の機能の少なくとも一部が停止又は低下するように、送受話器を制御する。
【００１８】
例えばメモリ、プロセッサ等を備えてなる第２制御手段は、検出手段により、送受話器に対する発呼操作又はダイヤル情報送出操作が検出されたことを条件に、電話機本体の機能の少なくとも一部が停止又は低下するように、電話機本体を制御する。
【００１９】
ここで、「送受話器の機能の少なくとも一部が停止又は低下するように」、「電話機本体の機能の少なくとも一部が停止又は低下するように」とは、例えばバックライトを消灯する又は暗くする等、送受話器又は電話機本体の消費電力を低減することを意味する。
【００２０】
また、第１及び第２制御手段各々の制御対称の状態が、既に低消費電力状態（例えば、バックライトが消灯されている状態）である場合に、該低消費電力状態を維持することも、本実施形態に係る「送受話器又は電話機本体の機能の少なくとも一部が停止又は低下するように、送受話器又は電話機本体を制御する」という概念に含まれる。
【００２１】
この種の電話装置では、該電話装置の使用時に、電話機本体及び送受話器両方の、例えば表示部やバックライト等が点灯されることが多い。他方で、ユーザは、電話機本体及び送受話器の一方のみに対し、発呼操作又はダイヤル情報送出操作を行う。このため、発呼操作又はダイヤル情報送出操作が行われない電話機本体及び送受話器の他方については、例えばバックライトが消灯されたとしても、ユーザに何らの影響も与えない。
【００２２】
従って、上述の如く、電話機本体及び送受話器の一方に対する発呼操作又はダイヤル情報送出操作が検出されたことを条件に、電話機本体及び送受話器の他方の機能の少なくとも一部を停止又は低下させれば、当該電話装置の使用時における消費電力を抑制することができる。
【００２３】
実施形態に係る電話装置の一態様では、電話機本体は本体表示部を有し、送受話器は送受話器表示部を有する。第１制御手段は、検出手段により、電話機本体に対する発呼操作又はダイヤル情報送出操作が検出されたことを条件に、少なくとも送受話器表示部の機能が停止又は低下するように送受話器を制御する。他方、第２制御手段は、検出手段により、送受話器に対する発呼操作又はダイヤル情報送出操作が検出されたことを条件に、少なくとも本体表示部の機能が停止又は低下するように電話機本体を制御する。
【００２４】
この態様によれば、比較的容易且つ効果的に、当該電話装置の使用時における消費電力を抑制することができる。
【００２５】
この態様では、第１制御手段は、更に、検出手段により、電話機本体に対する発呼操作又はダイヤル情報送出操作が検出されたことを条件に、本体表示部を点灯する又は該本体表示部の輝度を高めるように電話機本体を制御してよい。同様に、第２制御手段は、更に、検出手段により、送受話器に対する発呼操作又はダイヤル情報送出操作が検出されたことを条件に、送受話器表示部を点灯する又は該送受話器表示部の輝度を高めるように送受話器を制御してよい。
【００２６】
このように構成すれば、ユーザの発呼操作又はダイヤル情報送出操作を補助することができ、実用上非常に有利である。
【００２７】
（制御方法）
実施形態に係る制御方法は、電話機本体と送受話器とを備える電話装置の制御方法である。当該制御方法は、電話機本体又は送受話器に対する発呼操作又はダイヤル情報送出操作を検出する検出工程と、検出工程において、電話機本体に対する発呼操作又はダイヤル情報送出操作が検出されたことを条件に、送受話器の機能の少なくとも一部が停止又は低下するように、送受話器を制御する第１制御工程と、検出工程において、送受話器に対する発呼操作又はダイヤル情報送出操作が検出されたことを条件に、電話機本体の機能の少なくとも一部が停止又は低下するように、電話機本体を制御する第２制御工程と、を備える。
【００２８】
実施形態に係る制御方法によれば、上述した実施形態に係る電話装置と同様に、電話装置の使用時における消費電力を抑制することができる。尚、実施形態に係る制御方法においても、上述した実施形態に係る電話装置の各種態様と同様の各種態様を採ることができる。
【００２９】
（コンピュータプログラム）
実施形態に係る第１のコンピュータプログラムは、電話機本体と送受話器とを備える電話装置の該電話機本体に搭載されたコンピュータを、電話機本体又は送受話器に対する発呼操作又はダイヤル情報送出操作を検出する検出手段と、該検出手段により、電話機本体に対する発呼操作又はダイヤル情報送出操作が検出されたことを条件に、送受話器の機能の少なくとも一部が停止又は低下するように、送受話器を制御する制御手段と、として機能させる。
【００３０】
実施形態に係る第２のコンピュータプログラムは、電話機本体と送受話器とを備える電話装置の該送受話器に搭載されたコンピュータを、電話機本体又は送受話器に対する発呼操作又はダイヤル情報送出操作を検出する検出手段と、該検出手段により、送受話器に対する発呼操作又はダイヤル情報送出操作が検出されたことを条件に、電話機本体の機能の少なくとも一部が停止又は低下するように、電話機本体を制御する制御手段と、として機能させる。
【００３１】
実施形態に係る第１及び第２のコンピュータプログラムによれば、当該コンピュータプログラムを格納するＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、電話機本体又は送受話器に備えられたコンピュータに読み込んで実行させれば、或いは、当該コンピュータプログラムを通信手段を介してダウンロードさせた後に実行させれば、上述した実施形態に係る電話機本体又は送受話器を比較的容易にして実現できる。これにより、上述した実施形態に係る電話装置と同様に、電話装置の使用時における消費電力を抑制することができる。
【実施例】
【００３２】
本発明の電話装置に係る実施例を図面に基づいて説明する。
【００３３】
（電話装置の構成）
先ず、実施例に係る電話装置について、図１及び図２を参照して説明する。図１は、実施例に係る電話装置を示す概略図である。図２は、実施例に係る電話装置の構成を示すブロック図である。
【００３４】
図１において、電話装置１は、本発明に係る「電話機本体」の一例としての、親機１０と、本発明に係る「送受話器」の一例としての、受話子機２０とを備えて構成されている。
【００３５】
親機１０には、例えば現在時刻、通話時間等の各種情報を表示可能な表示部１１と、各種操作ボタンを含む操作部１２と、受話子機２０を載置するためのクレイドルと、が設けられている。
【００３６】
受話子機２０には、送話口２１と、受話口２２と、各種情報を表示可能な表示部２３と、各種操作ボタンを含む操作部２４と、が設けられている。
【００３７】
図２において、親機１０は、表示部１１、操作部１２、主制御部１３、不揮発性メモリ１４、ＲＡＭ１５、無線部１６及び回線制御部１７を備えて構成されている。
【００３８】
受話子機２０は、表示部２３、操作部２４、主制御部２５、不揮発性メモリ２６、ＲＡＭ２７、無線部２８及び充電検出部２９を備えて構成されている。
【００３９】
ここで、親機１０と受話子機２０とは、アンテナＡＮＴに接続された無線部１６及びアンテナＡＮＴに接続された無線部２８を介して、無線により互いに通信可能に構成されている。つまり、電話装置１は、所謂コードレス電話である。
【００４０】
また、受話子機２０の、例えば送話口２１近傍には、該受話子機２０に搭載された電池（図示せず）と電気的に接続された受電コイル（図示せず）が配置されている。他方、親機１０のクレイドル近傍には、受話子機２０が該クレイドルに載置された場合に該受話子機２０の受電コイルと対向するように、送電コイル（図示せず）が配置されている。
【００４１】
そして、親機１０の送電コイル及び受話子機２０の受電コイルを介して、親機１０から受話子機２０へ非接触で電力が供給される。受話子機２０では、受電コイルを介して受電した電力により、該受話子機２０に搭載された電池が充電される。充電検出部２９は、親機１０から受話子機２０に対して電力が供給されているか否かを検出する。
【００４２】
尚、電話装置１に係る電話機能自体には、公知の各種態様を適用可能であるので、その詳細についての説明は割愛する。
【００４３】
（動作シーケンス）
次に、以上のように構成された電話装置１の動作シーケンスについて、図３乃至図６のフローチャートを参照して説明する。尚、図３乃至図６において、同一処理については同一符号を付して示している。
【００４４】
（動作シーケンス１）
図３のフローチャートにおいて、受話子機２０が親機１０のクレイドル上に載置されている場合（即ち、オンフックの場合）、親機１０の主制御部１３は、表示部１１に、例えば日時及び現在時刻等を含む待機画面が表示されると共に、該表示部１１のバックライトが消灯されるように、表示部１１を制御する（ステップＳ１０１）。同様に、受話子機２０の主制御部２５は、表示部２３に待機画面が表示されると共に、該表示部２３のバックライトが消灯されるように、表示部２３を制御する（ステップＳ２０１）。
【００４５】
ユーザにより、受話子機２０が親機１０のクレイドルから取り外された際（即ち、オフフックされた際）、受話子機２０の充電検出部２９は、受話子機２０への電力供給が停止したことを検出する（ステップＳ２０２）。尚、実施例に係る電話装置１は、親機１０から受話子機２０への電力供給が停止したことを条件に、受話子機２０がオフフックされたものと判定する。
【００４６】
続いて、受話子機２０の主制御部２５は、親機１０に対し、オフフックされた旨を示す通信コマンドを送信する（ステップＳ２０３）。主制御部２５は、ステップＳ２０３の処理と並行して又は相前後して、表示部２３に、例えば通話時間、音量等を含む外線通話中画面が表示されると共に、該表示部２３のバックライトの消灯状態が維持されるように、表示部２３を制御する（ステップＳ２０４）。
【００４７】
上記ステップＳ２０３の処理において送信された通信コマンドを受信した親機１０の主制御部１３は、表示部１１に外線通話中画面が表示されると共に、バックライトが点灯するように、表示部１１を制御する（ステップＳ１０２）。
【００４８】
次に、ユーザが通話のために親機１０の操作部１２を操作した場合（例えば、電話番号を入力するために数字ボタンを押下した場合、登録されている電話番号を検索するために操作ボタンを押下した場合、等）、主制御部１３は、操作部１２が操作されたことを検出すると共に（ステップＳ１０３）、受話子機２０に対し、その旨を示す通信コマンドを送信する（ステップＳ１０４）。
【００４９】
主制御部１３は、ステップＳ１０４の処理と並行して又は相前後して、表示部１１に、例えば押下されたボタンに対応する数値（電話番号）等を含むダイヤル画面が表示されると共に、バックライトの点灯状態が維持されるように、表示部１１を制御する（ステップＳ１０５）。
【００５０】
上記ステップＳ１０４の処理で送信された通信コマンドを受信した受話子機２０の主制御部２５は、表示部２３にダイヤル画面が表示されると共に、バックライトの消灯状態が維持されるように、表示部２３を制御する（ステップＳ２０５）。
【００５１】
次に、親機１０の主制御部１３は、例えば１０秒等、一定時間操作部１２が操作されなかったことを検出し（ステップＳ１０６）、バックライトが消灯されるように（又は、バックライトの輝度が低減するように）表示部１１を制御する（ステップＳ１０７）。
【００５２】
次に、ユーザが通話中に親機１０の操作部１２を操作した場合（例えば、コールセンターへの通話中に項目選択のために数字キーを押下した場合等）、主制御部１３は、操作部１２が操作されたことを検出すると共に（ステップＳ１０８）、受話子機２０に対し、その旨を示す通信コマンドを送信する（ステップＳ１０９）。
【００５３】
主制御部１０９は、ステップＳ１０９の処理と並行して又は相前後して、表示部１１に、例えばユーザにより押下されたキーに対応する数字又は記号が表示されると共に、バックライトが点灯されるように（又は、バックライトの輝度が低減されていた場合には、該輝度を高めるように）、表示部１１を制御する（ステップＳ１１０）。
【００５４】
上記ステップＳ１０９の処理で送信された通信コマンドを受信した受話子機２０の主制御部２５は、表示部２３に、例えばユーザにより押下されたキーに対応する数字又は記号が表示されると共に、バックライトの消灯状態が維持されるように、表示部２３を制御する（ステップＳ２０６）。
【００５５】
（動作シーケンス２）
図４のフローチャートにおいて、上述したステップＳ１０７及びＳ２０５の処理が実行された後、ユーザが通話中に受話子機２０の操作部２４を操作した場合、受話子機２０の主制御部２５は、操作部２４が操作されたことを検出すると共に（ステップＳ２１１）、親機１０に対し、その旨を示す通信コマンドを送信する（ステップＳ２１２）。
【００５６】
主制御部２５は、ステップＳ２１２の処理と並行して又は相前後して、表示部２３に、例えばユーザにより押下されたキーに対応する数字又は記号が表示されると共に、バックライトが点灯されるように、表示部２３を制御する（ステップＳ２１３）。
【００５７】
上記ステップＳ２１２の処理で送信された通信コマンドを受信した親機１０の主制御部１３は、表示部１１に、例えばユーザにより押下されたキーに対応する数字又は記号が表示されると共に、バックライトの消灯状態が維持されるように、表示部１１を制御する（ステップＳ１１１）。
【００５８】
次に、受話子機２０が親機１０のクレイドル上に載置されておらず、例えば親機１０とは別の部屋に受話子機２０が設置されている場合の動作シーケンスについて、図５及び図６のフローチャートを用いて説明する。
【００５９】
（動作シーケンス３）
図５のフローチャートにおいて、ユーザにより、待機状態の受話子機２０の操作部２４に含まれる「通話キー」が押下された場合、主制御部２５は、「通話キー」が押下されたことを検出し（即ち、オフフックされたと判定し）（ステップＳ２２１）、親機１０に対し、その旨を示す通信コマンドを送信する（ステップＳ２２２）。
【００６０】
主制御部２５は、ステップＳ２２２の処理と並行して又は相前後して、表示部２３に、外線通話中画面が表示されると共に、該表示部２３のバックライトが点灯するように、表示部２３を制御する（ステップＳ２２３）。
【００６１】
上記ステップＳ２２２の処理において送信された通信コマンドを受信した親機１０の主制御部１３は、表示部１１に外線通話中画面が表示されると共に、バックライトの消灯状態が維持されるように、表示部１１を制御する（ステップＳ１２１）。
【００６２】
次に、ユーザが通話のために受話子機２０の操作部２４を操作した場合、主制御部２５は、操作部２４が操作されたことを検出すると共に（ステップＳ２２４）、親機１０に対し、その旨を示す通信コマンドを送信する（ステップＳ２２５）。
【００６３】
主制御部２５は、ステップＳ２２５の処理と並行して又は相前後して、表示部２３に、ダイヤル画面が表示されると共に、バックライトの点灯状態が維持されるように、表示部２３を制御する（ステップＳ２２６）。
【００６４】
上記ステップＳ２２５の処理で送信された通信コマンドを受信した親機１０の主制御部１３は、表示部１１にダイヤル画面が表示されると共に、バックライトの消灯状態が維持されるように、表示部１１を制御する（ステップＳ１２２）。
【００６５】
次に、受話子機２０の主制御部２５は、一定時間操作部２４が操作されなかったことを検出し（ステップＳ２２７）、バックライトが消灯されるように（又は、バックライトの輝度が低減するように）表示部２３を制御する（ステップＳ２２８）。
【００６６】
次に、ユーザが通話中に受話子機２０の操作部２３を操作した場合、主制御部２５は、操作部２４が操作されたことを検出すると共に（ステップＳ２２９）、親機１０に対し、その旨を示す通信コマンドを送信する（ステップＳ２３０）。
【００６７】
主制御部２５は、ステップＳ２３０の処理と並行して又は相前後して、表示部２３に、例えばユーザにより押下されたキーに対応する数字又は記号が表示されると共に、バックライトが点灯されるように（又は、バックライトの輝度が低減されていた場合には、該輝度を高めるように）、表示部２３を制御する（ステップＳ２３１）。
【００６８】
上記ステップＳ２３０の処理で送信された通信コマンドを受信した親機１０の主制御部１３は、表示部１１に、例えばユーザにより押下されたキーに対応する数字又は記号が表示されると共に、バックライトの消灯状態が維持されるように、表示部１１を制御する（ステップＳ１２３）。
【００６９】
（動作シーケンス４）
図６のフローチャートにおいて、上述したステップＳ１２２及びＳ２２６の処理が実行された後、ユーザが通話中に親機１０の操作部１２を操作した場合、親機１０の主制御部１３は、操作部１２が操作されたことを検出すると共に（ステップＳ１４１）、受話子機２０に対し、その旨を示す通信コマンドを送信する（ステップＳ１４２）。
【００７０】
主制御部１３は、ステップＳ１４２の処理と並行して又は相前後して、表示部１１に、例えばユーザにより押下されたキーに対応する数字又は記号が表示されると共に、バックライトが点灯されるように、表示部１１を制御する（ステップＳ１４３）。
【００７１】
上記ステップＳ１４２の処理で送信された通信コマンドを受信した受話子機２０の主制御部２５は、表示部２３に、例えばユーザにより押下されたキーに対応する数字又は記号が表示されると共に、バックライトの消灯状態が維持されるように、表示部２３を制御する（ステップＳ２４１）。
【００７２】
本実施例に係る「表示部１１」、「表示部２３」、「主制御部１３」及び「主制御部２５」は、夫々、本発明に係る「本体表示部」、「送受話器表示部」、「第１制御手段」及び「第２制御手段」の一例である。本実施例に係る「主制御部１３」及び「主制御部２５」は、本発明に係る「検出手段」の一例である。
【００７３】
尚、本実施例では、操作部１２又は２４の操作に応じて、表示部１１のバックライト及び表示部２３のバックライトの点灯及び消灯制御について説明したが、表示部のバックライトに限らず、例えば表示部への表示が停止されたり、操作部に含まれる操作キーのバックライトが消灯されたり、してもよい。
【００７４】
本発明は、上述した実施形態に限られるものではなく、特許請求の範囲及び明細書全体から読み取れる発明の要旨或いは思想に反しない範囲で適宜変更可能であり、そのような変更を伴う電話装置、制御方法、コンピュータプログラム及び記録媒体もまた本発明の技術的範囲に含まれるものである。
【符号の説明】
【００７５】
１…電話装置、１０…親機、１１、２３…表示部、１２、２４…操作部、１３、２５…主制御部、１４、２６…不揮発性メモリ、１５、２７…ＲＡＭ、１６、２８…無線部、１７…回線制御部、２０…受話子機、２１…送話口、２２…受話口、２９…充電検出部
【図１】
2015139123.tif 000003
【図２】
2015139123.tif 000004
【図３】
2015139123.tif 000005
【図４】
2015139123.tif 000006
【図５】
2015139123.tif 000007
【図６】
2015139123.tif 000008